(57)【要約】【課題】クッション性が高い領域を均一に形成することができるクッション体を提供する。【解決手段】クッション体１は、格子状に配列された複数の凸部１１と、複数の凸部１１の間に格子状に配列された複数の凹部１２と、複数の凹部１２の間において延在する複数のスリット１３，１４と、を備え、凹部１２は、スリット１３を有する第１凹部１２ａと、スリット１３を有しない第２凹部１２ｂとを含んでおり、複数の第１凹部１２ａは、凸部１１及び凹部１２が並設される長手方向Ｄ１及び幅方向Ｄ２の双方に対して傾斜する方向に連続して配置されており、凸部１１及び第１凹部１２ａを含む第１矩形状領域Ａ１と、凸部１１及び第２凹部１２ｂを含むと共に第１凹部１２ａを含まない第２矩形状領域Ａ２と、が共に格子状に配列されている。【選択図】図１
2020054571.tif 000002
【特許請求の範囲】
【請求項１】
格子状に配列された複数の凸部と、
前記複数の凸部の間に格子状に配列された複数の凹部と、
前記複数の凹部の間において延在する複数のスリットと、
を備え、
前記凹部は、前記スリットを有する第１凹部と、前記スリットを有しない第２凹部とを含んでおり、
複数の前記第１凹部は、前記凸部及び前記凹部が並設される方向に対して傾斜する方向に連続して配置されており、
前記凸部及び前記第１凹部を含む第１矩形状領域と、前記凸部及び前記第２凹部を含むと共に前記第１凹部を含まない第２矩形状領域と、が共に格子状に配置されている、
クッション体。
【請求項２】
前記第１矩形状領域及び前記第２矩形状領域を含む第１領域と、第２領域とを備え、
前記第１領域に形成された前記スリットの数は、前記第２領域に形成されたスリットの数よりも多く、
前記第１領域は、前記第２領域よりも柔らかい、
請求項１に記載のクッション体。
【請求項３】
前記クッション体は、前記第１領域及び前記第２領域を有するマットレスである、
請求項２に記載のクッション体。
【請求項４】
前記第２領域は、前記マットレスの長手方向の中央に位置しており、
前記第１領域は、前記第２領域に前記長手方向に隣接している、
請求項３に記載のクッション体。
【請求項５】
前記スリットは、前記マットレスを貫通すると共に前記第２領域に形成されている、
請求項４に記載のクッション体。
【発明の詳細な説明】
【技術分野】
【０００１】
本開示は、使用者の身体が当てられるクッション体に関する。
【背景技術】
【０００２】
使用者の身体が当てられて使用者の寝心地等を良好にするクッション体としては従来から種々のものが知られている。特開２０１５−８４７８３号公報には、凹凸部が形成されたマットレスが記載されている。マットレスは、格子状に配列された複数の突起部と、複数の突起部の間において格子状に配列された複数の凹部とを有する。複数の凹部のうちの一部には、マットレスを貫通するスリット状の切り込み溝が形成されている。また、前述の公報には、複数の凹部のうちの一部に管状の溝が形成されたマットレスも記載されている。
【先行技術文献】
【特許文献】
【０００３】
【特許文献１】特開２０１５−８４７８３号公報
【発明の概要】
【発明が解決しようとする課題】
【０００４】
前述したマットレスでは、１つの凹部に１つの切り込み溝又は１つの管状の溝が形成されている。従って、１つの凹部に１つの貫通孔が形成されているだけなので、マットレスに使用者が横たわっても十分に柔軟性を発揮しない場合がありクッション性において改善の余地がある。
【０００５】
また、前述したマットレス等のクッション体において、貫通孔の数が多すぎる場合には、柔軟性が高すぎてへたりやすくなることがある。更に、クッション体において貫通孔をランダムに配置する場合、ある特定の部分のクッション性は高められるものの、当該特定の部分以外のクッション性が十分に高められないことがある。このように、クッション性の均一さにおいても改善の余地がある。
【０００６】
本開示は、クッション性が高い領域を均一に形成することができるクッション体を提供することを目的とする。
【課題を解決するための手段】
【０００７】
本開示に係るクッション体は、格子状に配列された複数の凸部と、複数の凸部の間に格子状に配列された複数の凹部と、複数の凹部の間において延在する複数のスリットと、を備え、凹部は、スリットを有する第１凹部と、スリットを有しない第２凹部とを含んでおり、複数の第１凹部は、凸部及び凹部が並設される方向に対して傾斜する方向に連続して配置されており、凸部及び第１凹部を含む第１矩形状領域と、凸部及び第２凹部を含むと共に第１凹部を含まない第２矩形状領域と、が共に格子状に配置されている。
【０００８】
このクッション体は、複数の凸部と複数の凹部と複数のスリットとを備え、複数のスリットは複数の凹部の間において延在している。従って、各スリットが複数の凹部の間において延在するように形成されることにより、スリットが形成された凹部とその周辺のクッション性を高めることができる。また、凹部はスリットを有する第１凹部とスリットを有しない第２凹部とを含んでいる。スリットを有する複数の第１凹部は、凸部及び凹部が並設される方向に対して傾斜する方向に連続して配置されている。従って、スリットを有する複数の第１凹部が連続して配置されているので、第１凹部とその周辺のクッション性を更に高めることができる。また、スリットを有する第１凹部及び凸部を含む第１矩形状領域と、スリットを有しない第２凹部及び凸部を含む第２矩形状領域とが共に格子状に配置されている。よって、第１矩形状領域と第２矩形状領域とが交互に配置される。また、クッション体において、スリットを有しない第２矩形状領域がスリットを有する第１矩形状領域に囲まれた箇所が均一に形成される。従って、スリットを有する第１矩形状領域に囲まれた第２矩形状領域がクッション体において均一に配置されるので、クッション性が高い第２矩形状領域をクッション体に均一に配置することができる。その結果、クッション性が高い領域を均一に形成することができる。
【０００９】
前述したクッション体は、第１矩形状領域及び第２矩形状領域を含む第１領域と、第２領域とを備え、第１領域に形成されたスリットの数は、第２領域に形成されたスリットの数よりも多く、第１領域は、第２領域よりも柔らかくてもよい。この場合、クッション体は、柔らかい第１領域と、第１領域よりも硬い第２領域とを備える。よって、第１領域において均一にクッション性を高めることができると共に、第２領域においてクッション体の形状をより確実に維持することができる。
【００１０】
前述したクッション体は、当該第１領域及び当該第２領域を有するマットレスであってもよい。この場合、均一にクッション性が高められた第１領域と、第１領域よりも硬い第２領域とを備えたマットレスを提供することができる。
【００１１】
前述したクッション体において、第２領域は、マットレスの長手方向の中央に位置しており、第１領域は、第２領域に長手方向に隣接していてもよい。この場合、マットレスの第２領域が長手方向の中央に位置し、第２領域の隣接位置に第１領域が設けられる。従って、使用者の腰が第２領域に載せられて肩が第１領域に載せられることにより、硬い第２領域で腰をしっかり支えることができると共に、柔らかい第１領域で肩の体圧分散を確実に実現させることができる。前述したように、第１領域では均一にクッション性が高められているため、使用者がどのように寝返りを打っても第１領域で高いクッション性を発揮することができる。その結果、使用者に均一に高いクッション性を提供できると共に寝心地を更に良好にすることができる。
【００１２】
スリットは、マットレスを貫通すると共に第２領域に形成されていてもよい。この場合、マットレスの長手方向の中央に位置する第２領域に貫通するスリットが形成される。よって、使用者の腰が第２領域に載せられるときに、腰の周辺のクッション性及び通気性を高めることができる。従って、蒸れやすい腰の部分の通気性を高めることができるので、使用者の寝心地の更なる向上に寄与する。
【発明の効果】
【００１３】
本発明によれば、クッション性が高い領域を均一に形成することができる。
【図面の簡単な説明】
【００１４】
【図１】図１は、第１実施形態に係るクッション体を模式的に示す平面図である。
【図２】図２は、図１のクッション体の表面を模式的に示す斜視図である。
【図３】図３は、図１のクッション体に形成されるスリットの例を示す平面図である。
【図４】図４は、図１のクッション体の第１領域、第２領域及び第３領域を示す斜視図である。
【図５】図５（ａ）は、図４の第１領域に形成された凹凸を示す断面図である。図５（ｂ）は、図４の第２領域に形成された凹凸を示す断面図である。
【図６】図６は、第２実施形態に係るクッション体を模式的に示す平面図である。
【図７】図７は、図６のクッション体に形成されたスリットを拡大した平面図である。
【図８】図８は、図６のクッション体の層構造の例を示す断面図である。
【図９】図９は、第３実施形態に係るクッション体を模式的に示す平面図である。
【図１０】図１０（ａ）は、実施例に係るクッション体に仰向けで被検者が寝たときの圧力を例示的に示す実験結果である。図１０（ｂ）は、比較例に係るクッション体に仰向けで被検者が寝たときの圧力分散を例示的に示す実験結果である。
【図１１】図１１（ａ）は、実施例に係るクッション体に横向き寝で被検者が寝たときの圧力を例示的に示す実験結果である。図１１（ｂ）は、比較例に係るクッション体に横向き寝で被検者が寝たときの圧力を例示的に示す実験結果である。
【発明を実施するための形態】
【００１５】
以下では、図面を参照しながら実施形態に係るクッション体について説明する。図面の説明において、同一又は相当する要素には同一の符号を付し、重複する説明を適宜省略する。また、図面は、理解の容易のため、一部を簡略化又は誇張して描いている場合があり、寸法比率等は図面に記載のものに限定されない。
【００１６】
（第１実施形態）
図１は、第１実施形態に係るクッション体１を模式的に示す平面図である。図２は、図１のクッション体１の一部を拡大した平面図である。クッション体１は、例えば、マットレス、布団又はクッション等の寝具として使用される。本実施形態では、クッション体１がマットレスである例について説明する。クッション体１は、例えば、汚れ防止用のカバーに収容されて使用される。クッション体１は、例えば、寝具として使用者の身体が当てられて使用される。クッション体１は、平面視において長手方向Ｄ１に延びる長方形状とされている。クッション体１は、幅方向Ｄ２に一定の幅を有すると共に、高さ方向に一定の厚さを有する。
【００１７】
クッション体１は、少なくとも、使用者の肩部が当てられる第１領域３と、使用者の腰が当てられる第２領域４と、使用者の脚部が当てられる第３領域５とを備える。更に、クッション体１は、使用者の頭部及び枕が載せられる第４領域２、及び使用者の足の先端が載せられる第５領域６を更に備えていてもよい。例えば、長手方向Ｄ１の一端から他端に向かって、第４領域２、第１領域３、第２領域４、第３領域５及び第５領域６がこの順に並んでいる。
【００１８】
一例として、クッション体１の長手方向Ｄ１の中央に第２領域４が位置しており、クッション体１は第２領域４に対して互いに対称とされていてもよい。すなわち、第２領域４に対して第４領域２及び第５領域６が互いに対称となるように配置されていてもよいし、第２領域４に対して第１領域３及び第３領域５が互いに対称となるように配置されていてもよい。この場合、クッション体１の長手方向Ｄ１の向きを逆にしても逆にする前と同様に使用することが可能となる。
【００１９】
一例として、第４領域２の長手方向Ｄ１の長さは１５ｃｍ以上且つ４５ｃｍ以下であり、第１領域３の長手方向Ｄ１の長さは２０ｃｍ以上且つ６０ｃｍ以下であり、第２領域４の長手方向Ｄ１の長さは２５ｃｍ以上且つ７０ｃｍ以下であり、第３領域５の長手方向Ｄ１の長さは２０ｃｍ以上且つ６０ｃｍ以下であり、第５領域６の長手方向Ｄ１の長さは１５ｃｍ以上且つ４５ｃｍ以下である。また、クッション体１の幅方向Ｄ２の長さ（幅）は、例えば、８０ｃｍ以上且つ２００ｃｍ以下である。但し、これらの各長さ及び幅の値は適宜変更可能である。更に、第４領域２及び第５領域６の少なくともいずれかを省略することも可能である。
【００２０】
クッション体１は、高さ方向に突出する複数の凸部１１と、高さ方向に窪む複数の凹部１２とを備え、第１領域３、第２領域４、第３領域５、第４領域２及び第５領域６は、凸部１１及び凹部１２の配置態様が互いに異なっていてもよい。クッション体１において凸部１１及び凹部１２は共に格子状に配列されており、複数の凹部１２は複数の凸部１１の間において格子状に配列されている。図１では、説明を容易に行うため、凸部１１を灰色で示すと共に凹部１２を白色で示している。
【００２１】
平面視において、凸部１１及び凹部１２は、共に矩形状の領域のそれぞれ（図１の灰色又は白色のマス目の１つ１つ）に配置されており、長手方向Ｄ１及び幅方向Ｄ２のそれぞれに沿って並設されている。図１では、長手方向Ｄ１に沿って７８個の当該領域が配置され、幅方向Ｄ２に沿って３５個の当該領域が配置される例を示している。但し、当該領域の数は適宜変更可能である。一例として、各領域の長手方向Ｄ１の長さは２ｃｍ以上且つ７ｃｍ以下であり、各領域の幅方向Ｄ２の長さは２ｃｍ以上且つ７ｃｍ以下である。但し、上記各長さの値は適宜変更可能である。
【００２２】
第１領域３は複数のスリット１３を備え、第３領域５は複数のスリット１４を備える。本実施形態において、例えば、第２領域４、第４領域２及び第５領域６にはスリットは形成されていない。スリット１３及びスリット１４の数及び配置態様は、互いに同一であってもよいし、互いに異なっていてもよい。本実施形態では、スリット１３及びスリット１４の数及び配置態様が互いに同一である例について説明する。従って、以下ではスリット１３について重点的に説明を行うと共に、スリット１４の説明を適宜省略する。
【００２３】
スリット１３は、複数の凹部１２の間を延在している。スリット１３は、例えば、長手方向Ｄ１及び幅方向Ｄ２の双方に傾斜する方向に斜めに延在しており、クッション体１を高さ方向に貫通していてもよい。例えば、第１領域３では、平面視において右上から左下に延びると共に幅方向Ｄ２に沿って並ぶ複数のスリット１３の第１の組と、平面視において左上から右下に延びると共に幅方向Ｄ２に沿って並ぶ複数のスリット１３の第２の組と、が長手方向Ｄ１に沿って交互に配置されている。一例として、当該第１の組は３つ設けられ、当該第２の組は２つ設けられ、第１の組と第２の組とが長手方向Ｄ１に沿って交互に配置されていてもよい。但し、これらの組の数及び配置態様は適宜変更可能である。
【００２４】
凹部１２は、スリット１３が形成された第１凹部１２ａと、スリット１３が形成されていない第２凹部１２ｂとを含んでいる。第１領域３は、凸部１１及び第１凹部１２ａを少なくとも含む第１矩形状領域Ａ１と、凸部１１及び第２凹部１２ｂを含むと共に第１凹部１２ａを含まない第２矩形状領域Ａ２とを有する。
【００２５】
例えば、第１矩形状領域Ａ１及び第２矩形状領域Ａ２は、共に、３×３の凸部１１及び凹部１２を備える。第１矩形状領域Ａ１においてスリット１３は３個の凹部１２の間で斜めに延びている。一例として、第１矩形状領域Ａ１及び第２矩形状領域Ａ２は長手方向Ｄ１及び幅方向Ｄ２のそれぞれに沿って交互に配置されている。すなわち、複数の第１矩形状領域Ａ１、及び複数の第２矩形状領域Ａ２が共に格子状に配列されており、複数の第１矩形状領域Ａ１は複数の第２矩形状領域Ａ２の間において格子状に配列されている。
【００２６】
図３は、複数のスリット１３の例を示す平面図である。各スリット１３は、例えば、長手方向Ｄ１及び幅方向Ｄ２の双方に対して４５°の角度を成す方向に延びている。一例として、各スリット１３は、曲線状に湾曲しながら延びる波形部１３ａと、波形部１３ａの長手方向の両端のそれぞれにおいて拡径された拡径部１３ｂとを有する。拡径部１３ｂの形状は、例えば、円形状であるが、楕円形状、長円形状又は多角形状であってもよく、適宜変更可能である。但し、拡径部１３ｂが円形状、楕円形状又は長円形状である場合には、鋭利な角部を有しないため、スリット１３の裂けをより確実に抑制することができる。
【００２７】
スリット１３が曲線状の波形部１３ａを有することによって、スリット１３の長さ方向へのずれを抑制することができる。但し、スリット１３は、曲線状の波形部１３ａに代えて、直線状の直線部を有していてもよい。スリット１３が拡径部１３ｂを有することによって、スリット１３の周囲がより変形しやすくなるので、スリット１３の周囲のクッション性及び通気性をより高めることが可能となる。
【００２８】
図４は、第１領域３、第２領域４及び第３領域５を示す斜視図である。図４では、理解の容易のため、スリット１３及びスリット１４の図示を省略している。図１及び図４に示されるように、第２領域４は、クッション体１の第２領域４以外の領域と同様に、凸部１１及び凹部１２を備えるが、凸部１１とは高さ及び幅が異なる凸部１５を更に備える。例えば、複数の凸部１１の間に複数の凸部１５が格子状に配列されている。
【００２９】
ところで、クッション体１において、スリット１３が形成されている場合には、スリット１３が形成されていない場合と比較して外力によるクッション体１の変形が大きくなると共に、より柔らかくなる傾向がある。また、より高い凸部１１の方が、凸部１５と比較して外力による変形が大きいと共に、より柔らかくなる傾向がある。
【００３０】
第２領域４は、スリット１３を有していないことによって第１領域３（第３領域５）より硬い領域とされている。更に、第２領域４の凸部１５の高さ及び幅が第１領域３（第３領域５）の凸部１１の高さ及び幅より小さいことにより、第１領域３（第３領域５）の硬さと第２領域４の硬さとの差がより顕著となっている。このように、第１領域３（第３領域５）と比較して第２領域４が硬いことにより、第２領域４に載せられる使用者の腰をしっかりと支えることができる。また、第２領域４と比較して第１領域３が柔らかいことにより、横向き寝等をした使用者の肩を第１領域３で柔軟に支えることができる。従って、柔らかい感触を使用者に与えることができるので、寝心地を良好にすることができる。
【００３１】
図５（ａ）は、第１領域３の凸部１１及び凹部１２を示す断面図である。図５（ｂ）は、第２領域４の凸部１１，１５及び凹部１２を示す断面図である。図５（ａ）に示されるように、第１領域３において、凸部１１及び凹部１２は、例えば、正弦波状とされており、凸部１１の高さ及び幅（周期）は凹部１２の高さ及び幅と同一であってもよい。一方、図５（ｂ）に示されるように、第２領域４において、凸部１１、凹部１２及び凸部１５は、湾曲した波状に形成されている。しかしながら、例えば凸部１５の高さＨ２及び幅Ｂ２は、凸部１１の高さＨ１及び幅Ｂ１の略半分となっており、凸部１５の高さＨ２及び幅Ｂ２は凸部１１の高さＨ１及び幅Ｂ１よりも小さい。
【００３２】
次に、第１実施形態に係るクッション体１から得られる作用効果について詳細に説明する。図１に示されるように、クッション体１は、複数の凸部１１と複数の凹部１２と複数のスリット１３とを備え、複数のスリット１３は複数の凹部１２の間において延在している。従って、各スリット１３が複数の凹部１２の間において延在するように形成されることにより、スリット１３が形成された凹部１２（第１凹部１２ａ）とその周辺のクッション性及び通気性を高めることができる。
【００３３】
また、凹部１２はスリット１３を有する第１凹部１２ａとスリット１３を有しない第２凹部１２ｂとを含んでおり、スリット１３を有する複数の第１凹部１２ａは長手方向Ｄ１及び幅方向Ｄ２の双方に対して傾斜する方向に連続するように配置されている。従って、スリット１３を有する複数の第１凹部１２ａが連続して配置されているので、第１凹部１２ａとその周辺のクッション性及び通気性を更に高めることができる。
【００３４】
また、スリット１３を有する第１凹部１２ａ及び凸部１１を含む第１矩形状領域Ａ１と、スリット１３を有しない第２凹部１２ｂ及び凸部１１を含む第２矩形状領域Ａ２とが共に格子状に配置されている。よって、第１矩形状領域Ａ１と第２矩形状領域Ａ２とが交互に配置される。また、第１領域３において、スリット１３を有しない第２矩形状領域Ａ２がスリット１３を有する第１矩形状領域Ａ１に囲まれた箇所が均一に形成されている。
【００３５】
すなわち、第１領域３において、スリット１３を有しない領域（第２矩形状領域Ａ２）がスリット１３を有する領域（第１矩形状領域Ａ１）に囲まれた箇所が第１領域３において均一に形成されているので、クッション性が高い第２矩形状領域Ａ２を第１領域３に均一に配置することができる。その結果、第１領域３においてクッション性及び通気性が高い領域を均一に形成することができる。
【００３６】
クッション体１は、第１矩形状領域Ａ１及び第２矩形状領域Ａ２を含む第１領域３と、第２領域４とを備え、第１領域３に形成されたスリット１３の数は、第２領域４に形成されたスリットの数よりも多く、第１領域３は第２領域４より柔らかくてもよい。この場合、クッション体１は、柔らかい第１領域３と、第１領域３よりも硬い第２領域４とを備える。よって、第１領域３において均一にクッション性及び通気性を高めることができると共に、第２領域４においてクッション体１の形状をより確実に維持することができる。
【００３７】
クッション体１は、第１領域３及び第２領域４を有するマットレスであってもよい。この場合、均一にクッション性及び通気性が高められた第１領域３と、第１領域３よりも硬い第２領域４とを備えたマットレスを提供することができる。
【００３８】
クッション体１において、第２領域４は、マットレスの長手方向Ｄ１の中央に位置しており、第１領域３は、第２領域４に長手方向Ｄ１に隣接していてもよい。この場合、マットレスの第２領域４が長手方向Ｄ１の中央に位置し、第２領域４の隣接位置に第１領域３が設けられる。
【００３９】
従って、使用者の腰が第２領域４に載せられて肩が第１領域３に載せられることにより、硬い第２領域４で腰をしっかりと支えることができると共に、柔らかい第１領域３で肩の体圧分散を確実に実現させることができる。前述したように、第１領域３では均一にクッション性及び通気性が高められているため、使用者がどのように寝返りを打っても第１領域３で高いクッション性及び通気性を発揮することができるので、使用者に均一に高いクッション性及び通気性を提供できると共に寝心地を更に良好にすることができる。
【００４０】
（第２実施形態）
次に、第２実施形態に係るクッション体２１について図６〜図８を参照しながら説明する。クッション体２１では、スリット２３，２４，２５の形状及び配置態様が第１実施形態とは異なっている。以降の説明では、第１実施形態と重複する説明を適宜省略する。クッション体２１において、第１領域３は複数のスリット２３を備え、第３領域５は複数のスリット２４を備え、更に、第２領域４は複数のスリット２５を備える。スリット２３及びスリット２４の形状、数及び配置態様は、互いに同一であってもよいし、互いに異なっていてもよい。
【００４１】
スリット２３の形状は、スリット２５の形状と互いに同一であってもよいし、互いに異なっていてもよい。本実施形態では、スリット２３及びスリット２４の形状、数及び配置態様が互いに同一であり、スリット２３の形状がスリット２５の形状と互いに同一である例について説明する。従って、以下ではスリット２３について重点的に説明を行うと共にスリット２４及びスリット２５の説明を適宜省略する。
【００４２】
スリット２３は、複数の凹部１２の間を延在しており、例えば、長手方向Ｄ１及び幅方向Ｄ２の双方に傾斜するＸ字状とされている。スリット２３は、クッション体２１を高さ方向に貫通している。このように、Ｘ字状に形成されたスリット２３は、前述したスリット１３よりも更に変形しやすく、より高いクッション性及び通気性を発揮することが可能である。
【００４３】
前述と同様、凹部１２は、スリット２３が形成された第１凹部１２ａと、スリット２３が形成されていない第２凹部１２ｂとを含んでおり、第１領域３は、凸部１１及び第１凹部１２ａを含む第１矩形状領域Ａ１と、凸部１１及び第２凹部１２ｂを含むと共に第１凹部１２ａを含まない第２矩形状領域Ａ２とを有する。第１矩形状領域Ａ１において、例えば、スリット２３は、５個の凹部１２の間でＸ字状に延びている。更に、第２実施形態において、第１矩形状領域Ａ１は第２凹部１２ｂを有しない。
【００４４】
また、第２実施形態に係るクッション体２１において、第２領域４は、クッション体２１の中央を含む領域に、第１矩形状領域Ａ１と第２矩形状領域Ａ２とを有する。例えば、クッション体２１の第２領域４では、クッション体２１の中央を含む領域において、長手方向Ｄ１に沿って合計３個の第２矩形状領域Ａ２及び第１矩形状領域Ａ１が交互に並ぶと共に、幅方向Ｄ２に沿って合計５個の第２矩形状領域Ａ２及び第１矩形状領域Ａ１が交互に並んでいる。
【００４５】
すなわち、８個の第２矩形状領域Ａ２と７個の第１矩形状領域Ａ１とがクッション体２１の中央を含む領域において交互に配列されている。このように、クッション体２１では、第２領域４の中央にスリット２５が形成されている。第２領域４では、第１領域３と同様、複数の第１矩形状領域Ａ１、及び複数の第２矩形状領域Ａ２が共に格子状に配列されている。
【００４６】
図７は、スリット２３を示す平面図である。例えば、スリット２３（スリット２４，２５）は、中央貫通部２３ａと、中央貫通部２３ａから長手方向Ｄ１及び幅方向Ｄ２の双方に対して４５°の角度を成す方向に放射状に延びる複数本（一例として４本）の直線部２３ｂと、各直線部２３ｂの中央貫通部２３ａとの反対側の端部において拡径された拡径部２３ｃとを有する。各拡径部２３ｃの形状は、例えば拡径部１３ｂと同様、円形状であるが、他の形状であってもよい。
【００４７】
スリット２３は、中央貫通部２３ａと、中央貫通部２３ａから放射状に延びる複数本の直線部２３ｂとを有するＸ字状とされているので、スリット１３よりも高いクッション性及び通気性を発揮する。特に、中央貫通部２３ａの周囲であって且つ複数の直線部２３ｂの間の部位で高いクッション性を発揮する。そして、スリット２３は、拡径部２３ｃを有することによってクッション性及び通気性を更に高めることが可能となる。
【００４８】
図８は、クッション体２１の層構造を示す断面図である。図８に示されるように、クッション体２１の凸部１１は、上側から順に第１硬質層２６、第１硬質層２６より柔らかい軟質層２７、及び軟質層２７より硬い第２硬質層２８を備えていてもよい。この場合、クッション体２１は、第１硬質層２６、軟質層２７及び第２硬質層２８を備えた三層構造となっている。例えば、第１硬質層２６は使用者の身体が接触する接触層、軟質層２７は当該身体の体圧を分散する体圧分散層、第２硬質層２８は当該使用者の寝姿勢を保持する寝姿勢保持層、に相当する。
【００４９】
上記のように、クッション体２１は、第１硬質層２６、軟質層２７及び第２硬質層２８からなる三層構造を備え、第１硬質層２６と第２硬質層２８の間に挟まれた軟質層２７によって体圧が分散されるので、クッション体２１の上に長時間横たわっても良好なフィット感を使用者に与え続けることが可能となる。なお、第１硬質層２６の硬さと第２硬質層２８の硬さとは、互いに同一であってもよいし、互いに異なっていてもよい。また、第１硬質層２６、軟質層２７及び第２硬質層２８の三層構造に代えて、第１軟質層、硬質層及び第２軟質層の三層構造を備えていてもよい。また、第１実施形態のクッション体１が第１硬質層２６、軟質層２７及び第２硬質層２８を備えていてもよい。
【００５０】
図６に示されるように、第２実施形態に係るクッション体２１は、スリット２３を有する第１凹部１２ａ及び凸部１１を含む第１矩形状領域Ａ１と、スリット２３を有しない第２凹部１２ｂ及び凸部１１を含む第２矩形状領域Ａ２とが共に格子状に配置されている。よって、第１領域３において、スリット２３を有しない第２矩形状領域Ａ２がスリット２３を有する第１矩形状領域Ａ１に囲まれた箇所が均一に形成されている。従って、第１実施形態と同様、第１領域３においてクッション性及び通気性が高い領域を均一に形成することができる。
【００５１】
クッション体２１において、スリット２５は、マットレスを貫通すると共に第２領域４に形成されていてもよい。この場合、マットレスの長手方向Ｄ１の中央に位置する第２領域４に貫通するスリット２５が形成される。よって、使用者の腰が第２領域４に載せられるときに、腰の周辺のクッション性及び通気性を高めることができる。従って、蒸れやすい腰の部分の通気性を高めることができるので、使用者の寝心地の更なる向上に寄与する。なお、第１実施形態に係るクッション体１において、マットレスを貫通するスリット２５が第２領域４に形成されていてもよい。
【００５２】
（第３実施形態）
続いて、第３実施形態に係るクッション体３１について図９を参照しながら説明する。第３実施形態に係るクッション体３１は、第１矩形状領域Ａ３１及び第２矩形状領域Ａ３２の数及び広さが第２実施形態と異なっている。すなわち、第１及び第２実施形態では、スリット１３,２３が形成されている第１矩形状領域Ａ１の広さとスリット１３，２３が形成されていない第２矩形状領域Ａ２の広さとが互いに同一である例について説明した。しかしながら、第３実施形態では、スリット２３が形成されている第１矩形状領域Ａ３１の広さが、スリット２３が形成されていない第２矩形状領域Ａ３２の広さよりも狭い。従って、第３実施形態のスリット２３の数及び密度は、第２実施形態のスリット２３の数及び密度よりも小さくなっている。
【００５３】
以上、第３実施形態に係るクッション体３１では、クッション体１，２１と同様、第１矩形状領域Ａ３１及び第２矩形状領域Ａ３２が共に格子状に配置されているので、第１領域３においてクッション性及び通気性が高い領域を均一に形成することができる。そして、第２領域４に貫通するスリット２５が形成されているので、腰の周辺のクッション性及び通気性を高めることができる。
【００５４】
以上、本開示に係るクッション体の各実施形態について説明した。しかしながら、本発明は、前述した各実施形態に限られるものではなく、各請求項に記載した要旨を変更しない範囲において変形されたものであってもよい。すなわち、クッション体の各部の形状、大きさ、材料、数及び配置態様は、前述の要旨を変更しない範囲において適宜変更可能である。例えば、前述の実施形態では、第１領域３、第２領域４、第３領域５、第４領域２及び第５領域６を有するクッション体１について説明した。しかしながら、クッション体が有する領域の数は、１つ以上且つ４つ以下、又は６つ以上であってもよく適宜変更可能である。
【００５５】
前述の実施形態では、スリット１３が曲線状の波形部１３ａを有する例について説明した。しかしながら、スリット１４、スリット２３、スリット２４及びスリット２５の少なくともいずれかが波形部１３ａと同様の波形部を有していてもよい。具体例として、図７に示されるスリット２３は、直線部２３ｂに代えて、波形部１３ａと同様の波形部を有していてもよい。この場合、前述と同様、スリット２３の波形部の長さ方向へのずれを抑制することができる。
【００５６】
前述した実施形態では、クッション体１，２１，３１がマットレスである例について説明した。しかしながら、本発明に係るクッション体は、マットレス以外にも適用可能であり、例えば、枕用の芯材、枕以外の寝具の芯材、自動車若しくは電車等といった車両用のシート、航空機等の車両以外の輸送機用のシート、又は介護用の椅子等といった輸送機以外のシートにも適用可能である。
【００５７】
（実施例）
以下では、クッション体の実施例について説明する。なお、本発明は、下記の実施例に限定されるものではない。実施例では第１領域３にスリット１３が形成されたクッション体１を用いたときの体圧分散を測定し、比較例では第１領域にスリットが形成されていないクッション体を用いたときの体圧分散を測定した。
【００５８】
被検者を敷き寝具の上で仰向けにして上記実施例及び比較例において体圧分散を測定した結果を図１０（ａ）及び図１０（ｂ）に示している。図１０（ａ）は実施例のクッション体１に被検者を仰向けにしたときの測定結果を示し、図１０（ｂ）は比較例のクッション体に被検者を仰向けにしたときの測定結果を示している。図１０（ａ）及び図１０（ｂ）は、クッション体に付与される圧力の値をマトリクス状に示しており、色が濃い部分に高い圧力がかかっており、色が薄い部分には低い圧力しかかかっていないことを示している。
【００５９】
図１０（ｂ）に示されるように、スリットを有しない比較例の場合には、被検者の肩及び腰のあたりに高い圧力がかかっていることが分かる。一方、図１０（ａ）に示されるように、スリット１３有りのクッション体１を用いた実施例の場合には、肩及び腰にかかっていた圧力が緩和されており、クッション体１によって被検者の体圧が分散されていることが分かる。
【００６０】
また、比較例のクッション体に付与された最大体圧は３０ｍｍＨｇ〜３５ｍｍＨｇ、平均体圧は８ｍｍＨｇ〜１０ｍｍＨｇであったのに対し、実施例のクッション体１に付与された最大体圧は２５ｍｍＨｇ〜３０ｍｍＨｇ、平均体圧は６ｍｍＨｇ〜８ｍｍＨｇであった。このように、スリット１３有りのクッション体１では、最大体圧及び平均体圧を共に減少できることが分かった。
【００６１】
図１１（ａ）は実施例のクッション体１に被検者を横向き寝にしたときの圧力の値をマトリクス状に示しており、図１１（ｂ）は比較例のクッション体に被検者を横向き寝にしたときの圧力の値をマトリクス状に示している。図１１（ｂ）に示されるように、スリットを有しない比較例の場合には、横向き寝とされた被検者の肩及び腰のあたりに高い圧力がかかっていることが分かる。
【００６２】
これに対し、図１１（ａ）に示されるように、スリット１３有りのクッション体１を用いた実施例の場合には、横向き寝とされた被検者の肩及び腰にかかっていた圧力が緩和されており、クッション体１によって横向き寝とされた被検者の体圧が分散されていることが分かる。また、比較例のクッション体に付与された横向き寝時の最大体圧が３５ｍｍＨｇ程度、平均体圧が１０ｍｍＨｇ〜１２ｍｍＨｇであったのに対し、実施例のクッション体１に付与された横向き寝時の最大体圧が３０ｍｍＨｇ程度、平均体圧が８ｍｍＨｇ程度であった。このように、スリット１３有りのクッション体１では、横向き寝時であっても最大体圧及び平均体圧を共に減少できることが分かった。
【符号の説明】
【００６３】
１，２１，３１…クッション体、２…第４領域、３…第１領域、４…第２領域、５…第３領域、６…第５領域、１１…凸部、１２…凹部、１２ａ…第１凹部、１２ｂ…第２凹部、１３，１４…スリット、１３ａ…波形部、１３ｂ…拡径部、１５…凸部、２３，２４，２５…スリット、２３ａ…中央貫通部、２３ｂ…直線部、２３ｃ…拡径部、２６…第１硬質層、２７…軟質層、２８…第２硬質層、Ａ１，Ａ３１…第１矩形状領域、Ａ２，Ａ３２…第２矩形状領域、Ｂ１，Ｂ２…幅、Ｄ１…長手方向、Ｄ２…幅方向。
【図１】
2020054571.tif 000003
【図２】
2020054571.tif 000004
【図３】
2020054571.tif 000005
【図４】
2020054571.tif 000006
【図５】
2020054571.tif 000007
【図６】
2020054571.tif 000008
【図７】
2020054571.tif 000009
【図８】
2020054571.tif 000010
【図９】
2020054571.tif 000011
【図１０】
2020054571.tif 000012
【図１１】
2020054571.tif 000013